(57)【要約】【課題】使用しない場合には、折り畳んで小さく携帯し、使用時には簡単に取り出して使用することができる折り畳み式ポケット測量器具を提供する。【解決手段】折り畳み式ポケット測量器具１０は、長手方向に所定間隔のピッチで目盛が表示されており、携帯時には幾重にも折り畳まれて携帯される一方、使用時には折り畳み部分が広げられ、伸ばして使用されるメジャー１２と、携帯時には閉じられ、使用時には開くカバー１１とを有し、メジャー１２は、携帯時には幾重にも折り畳まれてカバー１１内に収納されて携帯される一方、使用時には折り畳み部分が広げられ、メジャー１２の先端部がカバー１１より外に伸ばして使用される。【選択図】図４
0003159459.tif 000002
【実用新案登録請求の範囲】
【請求項１】
長手方向に所定間隔のピッチで目盛が表示されており、
携帯時には幾重にも折り畳まれて携帯される一方、使用時には折り畳み部分が広げられ、伸ばして使用されるメジャーを有する、
ことを特徴とする折り畳み式ポケット測量器具。
【請求項２】
請求項１記載の折り畳み式ポケット測量器具において、さらに、
携帯時には閉じられ、使用時には開くカバーを有し、
前記メジャーは、
前記メジャーの基部が前記カバー内に貼り付けられており、
携帯時には幾重にも折り畳まれて前記カバー内に収納されて携帯される一方、使用時には折り畳み部分が広げられ、前記メジャーの先端部が前記カバーより外に伸ばして使用される、
ことを特徴とする折り畳み式ポケット測量器具。
【請求項３】
請求項２記載の折り畳み式ポケット測量器具において、さらに、
前記カバーの表紙には、
スケールが表示されている、ことを特徴とする折り畳み式ポケット測量器具。
【請求項４】
請求項３記載の折り畳み式ポケット測量器具において、さらに、
前記スケールは、
クラックの幅を計測するためのクラックスケールである、ことを特徴とする折り畳み式ポケット測量器具。
【請求項５】
請求項１〜請求項４のいずれか一の請求項に記載の折り畳み式ポケット測量器具において、さらに、
前記メジャーは、長手方向の長さが１２０ｃｍであり、長手方向の両端部には短手方向に黒太線が描かれており、
前記メジャーの目盛は、前記前記メジャーの長手方向中央を０として、長手方向両側に向かって１０ｃｍ刻みでそれぞれ５０ｃｍまでの１００ｃｍ分表示されている、ことを特徴とする折り畳み式ポケット測量器具。
【請求項６】
請求項１〜請求項４のいずれか一の請求項に記載の折り畳み式ポケット測量器具において、さらに、
前記メジャーの目盛は、前記メジャーの先端部を０として、前記メジャーの基部に向かって所定間隔のピッチで表示されている、ことを特徴とする折り畳み式ポケット測量器具。
【請求項７】
請求項１〜請求項６のいずれか一の請求項に記載の折り畳み式ポケット測量器具において、さらに、
前記メジャーは白地であり、
前記メジャーの目盛は、前記メジャーの表面にのみ表示され、前記メジャーの目盛間には、交互に、黄色の線と、赤色の線とが表示されている一方、
前記メジャーの裏面は、無地である、ことを特徴とする折り畳み式ポケット測量器具。
【考案の詳細な説明】
【技術分野】
【０００１】
本考案は、携帯可能な折り畳み式ポケット測量器具に関する。
【背景技術】
【０００２】
従来の測量器具として、例えば、図１２に示すように、棒状で軸方向に延びる収納空間部１００ｂを有し、目盛１００ａが描かれた第一のスケール１００と、棒状で軸方向に延びる第二のガイド溝２００ｂを有し、第一のスケール１００の収納空間部１００ｂに収納可能で、目盛２００ａが描かれた第二のスケール２００とを備える測量器具がある（例えば、特許文献１参照。）。
【先行技術文献】
【特許文献】
【０００３】
【特許文献１】特開２００９−１６２６８１号公報
【考案の概要】
【考案が解決しようとする課題】
【０００４】
ところで、最近は、道路管理等の際、ワダチ等のある道路の破損個所や修繕箇所等の現場状況を、カメラ等により撮影した現場写真等により道路管理を行っている。
【０００５】
しかし、前記背景技術の測量器具は、棒状の第一のスケール１００と、第二のスケール２００とにより構成され、とても大きいため、携帯には不便である、という課題がある。
【０００６】
また、従来、道路管理や、道路の補修前後の書類等に添付する写真には、一貫性がなく、ワダチ等の道路の破損個所や修繕箇所の現場状況を伝える写真に、作業者が所有しているコンベックスルールや、定規、筆記具等を寸法の目安として置いて撮影したのでは、写真毎に異なる寸法の目安が写ることになるので、後から写真を見ても、数字が読めなかったり、一目見ても、ワダチ等の道路の破損個所や補修個所の大きさが分かり難い、という課題があった。
【０００７】
特に、急に道路の破損個所や修繕箇所等の現場を写真撮影して、現場状況を報告等する必要性が生じた場合、何か写真撮影の際に大きさや寸法の目安として写す、携帯に便利な標準化された測量器具があれば便利である。
【０００８】
そこで、本考案は、使用しない場合には、折り畳んで小さく携帯し、使用時には簡単に取り出して使用することができる折り畳み式ポケット測量器具を提供することを目的とする。
【課題を解決するための手段】
【０００９】
前記課題を解決するため、本考案の折り畳み式ポケット測量器具は、長手方向に所定間隔のピッチで目盛が表示されており、携帯時には幾重にも折り畳まれて携帯される一方、使用時には折り畳み部分が広げられ、伸ばして使用されるメジャーを有する、ことを特徴とする折り畳み式ポケット測量器具である。
ここで、前記折り畳み式ポケット測量器具において、さらに、携帯時には閉じられ、使用時には開くカバーを有し、前記メジャーは、前記メジャーの基部が前記カバー内に貼り付けられており、携帯時には幾重にも折り畳まれて前記カバー内に収納されて携帯される一方、使用時には折り畳み部分が広げられ、前記メジャーの先端部が前記カバーより外に伸ばして使用される、ようにしても良い。
また、前記折り畳み式ポケット測量器具において、さらに、前記カバーの表紙には、スケールが表示されている、ようにしても良い。
また、前記折り畳み式ポケット測量器具において、さらに、前記スケールは、クラックの幅を計測するためのクラックスケールである、ようにしも良い。
また、前記折り畳み式ポケット測量器具において、さらに、前記メジャーは、長手方向の長さが１２０ｃｍであり、長手方向の両端部には短手方向に黒太線が描かれており、前記メジャーの目盛は、前記前記メジャーの長手方向中央を０として、長手方向両側に向かって１０ｃｍ刻みでそれぞれ５０ｃｍまでの１００ｃｍ分表示されている、ようにしても良い。
また、前記折り畳み式ポケット測量器具において、さらに、前記メジャーの目盛は、前記メジャーの先端部を０として、前記メジャーの基部に向かって所定間隔のピッチで表示されている、ようにしても良い。
また、前記折り畳み式ポケット測量器具において、さらに、前記メジャーは白地であり、前記メジャーの目盛は、前記メジャーの表面にのみ表示され、前記メジャーの目盛間には、交互に、黄色の線と、赤色の線とが表示されている一方、前記メジャーの裏面は、無地である、ようにしても良い。
【考案の効果】
【００１０】
本考案によれば、長手方向に所定間隔のピッチで目盛が表示されており、携帯時には幾重にも折り畳まれて携帯される一方、使用時には折り畳み部分が広げられ、伸ばして使用されるメジャーを有するので、使用しない場合には、折り畳んで小さく携帯し、使用時には簡単に取り出して使用することができる。
【図面の簡単な説明】
【００１１】
【図１】本考案の実施形態１の折り畳み式ポケット測量器具の携帯時の使用していない状態を示す全体図である。
【図２】本考案の実施形態１の折り畳み式ポケット測量器具を上方から見た全体図である。
【図３】本考案の実施形態１の折り畳み式ポケット測量器具においてカバーからメジャーを１５ｃｍほど引き出した状態を示す正面図である。
【図４】本考案の実施形態１の折り畳み式ポケット測量器具においてカバーからメジャーを全部引き出した状態を示す正面図である。
【図５】本実施形態１の折り畳み式ポケット測量器具の使用方法について示す説明図である。
【図６】本実施形態１の折り畳み式ポケット測量器具の他の使用方法について示す説明図である。
【図７】本実施形態１の折り畳み式ポケット測量器具により道路のワダチの幅を測定した状態を撮影した写真の一例を示す図である。
【図８】本考案の実施形態１の折り畳み式ポケット測量器具のカバーに目盛を追加した一例を示す全体図である。
【図９】本考案にかかる実施形態２の折り畳み式ポケット測量器具の一例を示す説明図である。
【図１０】本考案にかかる実施形態３の折り畳み式ポケット測量器具の一例を示す説明図である。
【図１１】（ａ），（ｂ）それぞれ、前記実施形態１〜３の折り畳み式ポケット測量器具のカバーの裏表紙に留め片を設けた一例を示す説明図である。
【図１２】従来の折り畳み式ポケット測量器具の一例を示す説明図である。
【考案を実施するための形態】
【００１２】
実施形態１．
次に、本考案の折り畳み式ポケット測量器具の実施形態１について説明する。
【００１３】
図１は、本実施形態１の折り畳み式ポケット測量器具１０の携帯時の使用していない状態を示す全体図、図２は、本考案の実施形態１の折り畳み式ポケット測量器具１０を上方から見た全体図である。
【００１４】
図１に示すように、本実施形態１の折り畳み式ポケット測量器具１０は、カバー１１と、メジャー１２とから構成されている。
【００１５】
カバー１１は、図１、図２に示すように、書籍の表紙またはカバーのように、中央で２つに折れるように構成されている。
【００１６】
そして、カバー１１の高さは、メジャー１２の高さの１０ｃｍに合わせて約１０ｃｍ、カバー１１の幅も、メジャー１２の長さの１２０ｃｍの折り畳みを考慮して６ｃｍとしている。なお、カバー１１の高さおよび幅は、これらより若干大きくしても勿論よい。これらの寸法は、あくまで一例であり、適宜変更が可能である。
【００１７】
メジャー１２は、携帯時には、図１、図２に示すように、幾重にも折り畳まれて携帯される一方、使用時に、次の図３、図４に示すように、折り畳み部分が広げられ、伸ばして使用される。
【００１８】
図３は、本実施形態１の折り畳み式ポケット測量器具１０において、カバー１１を開き、カバー１１からメジャー１２をおよそ１７〜１８ｃｍほど引き出した状態を示す正面図、図４は、カバー１１からメジャー１２を全部引き出した状態を示す正面図である。
【００１９】
メジャー１２は、図４に示すように、メジャーの基部１２ａがカバー１１内側に糊やテープ等により貼り付けられており、携帯時には、図１、図２等に示すように、幾重にも折り畳まれてカバー１１内に収納されて携帯される。
【００２０】
そして、使用時には、図３、図４に示すように、折り畳み部分が広げられ、メジャー１２の先端部１２ｂを、カバー１１より外に伸ばして使用される。
【００２１】
メジャー１２は、本実施形態１では、例えば、ケント紙等の紙が使用されている。本実施形態１では、図４に示すように、伸ばした状態で、例えば、長手（横）方向の長さ１２００ｍｍ、短（縦）方向の高さ１００ｍｍとしている。なお、メジャー１２の素材や寸法は、あくまで一例である。つまり、メジャー１２は、ケント紙等の紙製に限定されず、ビニールやポリエステルフィルムによりラミネート加工等された水に強いフィルム素材等から構成するようにしても良いし、さらには、布や、プラスチックフィルム等により構成されていても、勿論よく、要は、折りたためることが可能な素材であれば何でも良い。なお、これらのことは、後述する他の実施形態でも、同様である。
【００２２】
そして、メジャー１２には、図４等に示すように、メジャー１２の長手方向中央を０として、両側に向かって１００ｍｍ、すなわち１０ｃｍ刻み（ピッチ）で５０ｃｍまで目盛１２ｃが印刷等されて表示されている。なお、目盛１２ｃの間隔である、１０ｃｍ刻み（ピッチ）は、あくまで一例であり、５ｃｍ刻み（ピッチ）でも、１ｃｍ刻み（ピッチ）でも、勿論よい。
【００２３】
なお、メジャー１２の正面は、昼間の写真撮影用に白地に黒文字仕上げで、図４等に示すように文字や目盛１２ｃが描かれている一方、メジャー１２の裏面は、無地にしている。
【００２４】
そして、メジャー１２の正面の長手方向中央には、目盛１２ｃの始点として、黒字の正方形を４５度傾斜させ白抜きで“０（ゼロ）”が描かれている。
【００２５】
また、メジャー１２下部の長手方向中央から両側方向へ向かって、１０ｃｍ、２０ｃｍ、３０ｃｍ、４０ｃｍの目盛１２ｃ部分には、墨入れにより黒字の三角印が描かれている。なお、黒字の三角印は、一例であり、単なる直線等でも勿論よい。なお、目盛１２ｃは、１０ｃｍ刻みでなく、例えば、１０ｃｍ、２０ｃｍ、３０ｃｍ、４０ｃｍ、５０ｃｍの目盛１２ｃ間の中央に、５ｃｍの刻み（ピッチ）を追加するようにして勿論良く、表現形式は、あくまで一例であり、適宜変更が可能である。
【００２６】
そして、メジャー１２下部の長手方向中央から両側方向へ向かって５０ｃｍの目盛最終部分には、１０ｃｍ、２０ｃｍ、３０ｃｍ、４０ｃｍの目盛部分と区別するため、黒字の三角印だけでなく、大きく、“５０ｃｍ”と描かれている。つまり、メジャー１２では、長手方向中央を中心にして１０ｃｍ刻みで１００ｃｍ分、目盛１２ｃや数値が描かれていることになる。
【００２７】
さらに、メジャー１２の左右両側の基部１２ａと、先端部１２ｂには、それぞれ、高さ方向に、約１ｃｍほどの幅で、黒太線１２ａ１，１２ｂ１が描かれている。これにより、メジャー１２の長さが１２０ｃｍなので、遠くから見ても、あるいは写真に写して小さくしても、黒太線１２ａ１，１２ｂ１は明瞭に認識することができ、黒太線１２ａ１，１２ｂ１の間が１２０ｃｍ（１２００ｍｍ）と一目瞭然にわかる。
【００２８】
また、メジャー１２は白地であり、メジャー１２下端の１０ｃｍ間隔の目盛１２ｃ間には、幅約１０ｍｍほどの黄色の線１２ｃ１と、赤色の線１２ｃ２とがそれぞれ長手方向に交互に描かれている。これにより、夜間写真撮影の際、フラッシュ撮影しても、黄色の線１２ｃ１と、赤色の線１２ｃ２とがあるので、メジャー１２の目盛１２ｃを容易に認識することができる。なお、黄色の線１２ｃ１と、赤色の線１２ｃ２とは、必須のものではなく、省略しても勿論良い
【００２９】
さらに、メジャー１２の上端には、幅約２５ｍｍで長手方向に、長さ２０ｃｍの黄色の太線１２ｄと、長さ４０ｃｍの赤色の太線１２ｅとが印刷等されて表示されている。なお、黄色の太線１２ｄと、赤色の太線１２ｅは、省略しても勿論良い
【００３０】
次に、本実施形態１の折り畳み式ポケット測量器具１０の使用方法について説明する。
【００３１】
図５は、本実施形態１の折り畳み式ポケット測量器具１０の使用方法について示す説明図である。
【００３２】
例えば、道路Ｒ上の窪みないしは凹部であるワダチＷが形成された道路Ｒに、本実施形態の折り畳み式ポケット測量器具１０を、ポケットや、かばん、手帳の間等から取り出し、カバー１１を広げ、メジャー１２を伸ばして、図５に示すように設置する。
【００３３】
すると、図５に示すように、ワダチＷの幅は、メジャー１２正面下端の、白地に黒文字仕上げの目盛１２ｃにより、約８０ｃｍと、計測することができる。そして、この状態で、デジタルカメラ等の撮影装置により、ワダチＷと、折り畳み式ポケット測量器具１０とを写真撮影する。
【００３４】
また、メジャー１２の上端には、長さ２０ｃｍの黄色の太線１２ｄと、長さ４０ｃｍの赤色の太線１２ｅとが印刷されているので、写真に写した際に、メジャー１２上端の黄色の太線１２ｄ、赤色の太線１２ｅによっても、おおよその長さを一目で理解することができる。
【００３５】
その一方、道路ＲのワダチＷの深さも測定する場合には、例えば、図６に示すように、もう一つ折り畳み式ポケット測量器具１０を携帯していれば、もう一つの折り畳み式ポケット測量器具１０をワダチＷに立てて置くことにより、折り畳み式ポケット測量器具１０が約１０ｃｍなので、およそのワダチＷの深さを測定することができる。
【００３６】
図７（ａ）〜（ｃ）は、本実施形態１の折り畳み式ポケット測量器具１０によりワダチＷの幅および深さを測定した図５に示す状態を撮影した現場写真７０〜７２の一例を示す図である。
【００３７】
具体的には、図７（ａ）は、折り畳み式ポケット測量器具１０全体が写るように測量器具１０中程度の大きさに撮影した現場写真７０、図７（ｂ）は、ワダチＷをアップで撮影したため折り畳み式ポケット測量器具１０全部が写らなかった現場写真７１、図７（ｃ）は、道路Ｒ全体を撮影したため折り畳み式ポケット測量器具１０が小さく写っている現場写真７２である
【００３８】
図７（ａ）〜（ｃ）のいずれの現場写真７０〜７２の場合にも、長手（横）方向の長さが１２０ｃｍ、短手（縦）方向の高さが１０ｃｍと決められた、すなわち外寸が標準化された折り畳み式ポケット測量器具１０がワダチＷ等の現場に写っているので、この測量器具１０に対する相対的な大きさにより、ワダチＷのおよその幅や深さを、一目で理解することができる。
【００３９】
これにより、長手方向の長さが１２０ｃｍと決められた折り畳み式ポケット測量器具１０を、常に、ワダチＷ等の破損個所や修繕箇所に設置して撮影するように決めておけば、図７（ａ）〜（ｃ）に示すように、現場写真７０〜７２の大きさが異なっていたり、あるいは写真に折り畳み式ポケット測量器具１０が大きく写っていたり、小さく写っていても、この折り畳み式ポケット測量器具１０に対する相対的な大きさにより、すなわち折り畳み式ポケット測量器具１０を大きさの目安（基準）として利用することにより、ワダチＷ等の破損個所や修繕箇所のおよその幅等を、一目で理解することができることになる。
【００４０】
従って、本実施形態１の折り畳み式ポケット測量器具１０によれば、長手方向に所定間隔のピッチで目盛１２ｃが刻まれており、携帯時には幾重にも折り畳まれて携帯される一方、使用時には折り畳み部分が広げられ、伸ばして使用されるメジャー１２を有するので、使用しない場合には、折り畳んで小さく携帯し、使用時には簡単に取り出して使用することができる。
【００４１】
また、本実施形態１の折り畳み式ポケット測量器具１０では、急に、道路の破損個所や修繕箇所等の現場を写真撮影して、現場状況を報告等する必要性が生じた場合には、本実施形態１の折り畳み式ポケット測量器具１０を、ポケットや手帳の間から取り出してメジャー１２を伸ばして、現場に置いて写真撮影することにより、大きさや寸法の目安として利用することができる。
【００４２】
その結果、作業者が所有しているコンベックスルールや、定規、筆記具等を寸法の目安として置いて撮影した場合と比べると、長さが標準化されている本実施形態１の折り畳み式ポケット測量器具１０が写真に写ることになるので、後から写真を見ても、一目見ても、ワダチ等の道路の破損個所や補修個所の大きさを認識することができる。
【００４３】
特に、本実施形態１の折り畳み式ポケット測量器具１０では、メジャー１２は、長手方向の長さが１２０ｃｍであり、長手方向の両端部１２ａ，１２ｂにはそれぞれ短手方向に黒太線１２ａ１，１２ｂ１が描かれ、また、メジャー１２の目盛１２ｃは、メジャー１２の長手方向中央を０として、長手方向両側に向かって５ｃｍ刻みでそれぞれ５０ｃｍまでの１００ｃｍ分表示されているので、ワダチ等の道路の破損個所や修繕箇所等の現場状況においてカメラ等により撮影することを決めておけば、携帯に便利な標準化された測量器具として利用することができる。
【００４４】
また、本実施形態１の折り畳み式ポケット測量器具１０では、メジャー１２は白地であり、メジャー１２の目盛１２ｃ間には、交互に、黄色の線１２ｃ２と、赤色の線１２ｃ１とが描かれているので、目盛１２ｃのみの場合より寸法を把握し易いと共に、黄色の線１２ｃ２や、赤色の線１２ｃ１が夜間のフラッシュ撮影時に反射等が少ないので、夜間でも見易くすることができる。
【００４５】
また、本実施形態１の折り畳み式ポケット測量器具１０では、メジャー１２の裏面を、白地の無地にしているので、メモ帳や、さらには広告掲載のスペースとして利用することもできる。
【００４６】
また、例えば、図８に示すように、本実施形態１の折り畳み式ポケット測量器具１０のカバー１１の表紙１１ａ等に、長手（縦）方向に１ｃｍ刻みの目盛１１ａ１等を設けるようにしても良い。このようにすれば、図６に示すように、一つ目の折り畳み式ポケット測量器具１０では、メジャー１２を引き出して、道路Ｒのワダチ等の幅を計測する一方、２つ目の折り畳み式ポケット測量器具１０を、ワダチＷ等に立てて置くことにより、カバー１１の表紙１１ａの長手（縦）方向の目盛１１ａ１により、１ｃｍ刻みで、ワダチＷの深さ（高さ）を容易に測定することができる。特に、本実施形態１の折り畳み式ポケット測量器具１０は、カバー１１内のメジャー１２が広がろうとするので、手で支持しなくても、折り畳み式ポケット測量器具１０を安定して立てることができる。
【００４７】
実施形態２．
次に、本考案にかかる実施形態２の折り畳み式ポケット測量器具２０について説明する。本実施形態２の折り畳み式ポケット測量器具２０は、実施形態１の折り畳み式ポケット測量器具１０のようにワダチ等のある道路の破損個所や修繕箇所等の現場状況を撮影の際に使用することを目的とするものではなく、通常のメジャーとして使用することを目的とするものである。
【００４８】
図９は、本考案にかかる実施形態２の折り畳み式ポケット測量器具２０の一例を示す説明図である。
【００４９】
図９に示すように、本実施形態２では、カバー１１は、前記実施形態１のものと同じもので、メジャー２２が、前記実施形態１のものとは異なる。
【００５０】
本実施形態２では、例えば、図９に示すように、メジャー２２の全長を１３０ｃｍとし、図上、メジャー２２の長手方向右端の先端部２２ｂを、目盛２２ｃの始点として、右端の先端部２２ｂから、５ｃｍ刻みで目盛２２ｃを刻んでいき、１２０ｃｍまで目盛２２ｃを表示したものである。なお、メジャー２２の長手方向左端の基部２２ａは、実施形態１のメジャー１２の場合と同様に、カバー１１に糊付け等されている。
【００５１】
メジャー２２の基端２２ａおよび先端部２２ｂの両端には、１３０ｃｍ幅のメジャー２２の両端であることを示すように、短手（縦）方向に、黒太線２２ａ１，２２ｂ１が描かれている。
【００５２】
そして、本実施形態２の目盛２２ｃには、メジャー２２の先端部２２ｂから１０ｃｍ、２０ｃｍ、・・・等、５ｃｍ刻みで、黒字の逆三角が目盛２２ｃとして描かれており、その間の５ｃｍの部分に、線が描かれている。
【００５３】
また、本実施形態２でも、目盛２２ｃには１０ｃｍ間隔で、長手方向に幅約１０ｍｍほどの黄色の線２２ｃ１と、赤色の線２２ｃ２とが交互に印刷等されて表示されている。これにより、実施形態１の場合と同様に、夜間写真撮影の際、フラッシュ撮影しても、反射の少ない黄色の線２２ｃ１と、赤色の線２２ｃ２とがあるので、メジャー２２の目盛２２ｃを容易に認識することができる。なお、黄色の線２２ｃ１と、赤色の線２２ｃ２とは、必須のものではなく、省略しても勿論良い
【００５４】
さらに、メジャー２２の上端には、幅約２５ｍｍで長手方向に、長さ３０ｃｍの黄色の太線２２ｄと、長さ３０ｃｍの赤色の太線２２ｅとが印刷等されて表示されている。これにより、黄色の太線２２ｄと、赤色の太線２２ｅとにより、３０ｃｍの長さや、６０ｃｍの長さは、この太線によっても、おおよそ把握することができる。なお、黄色の太線２２ｄと、赤色の太線２２ｅは、省略しても勿論良い
【００５５】
これにより、実施形態２の折り畳み式ポケット測量器具２０によれば、ポケットや、かばん、手帳の間等から取り出し、カバー１１を広げ、メジャー２２の折り畳み分を伸ばして使用することにより、５ｃｍ単位で１３０ｃｍまで長さを測定することができる。
【００５６】
従って、本実施形態２の折り畳み式ポケット測量器具２０は、メジャー２２の長手方向右端の先端部２２ｂを目盛２２ｃの０の始点として有するので、コンベックスルールや定規の代わりの携帯メジャー等として使用することができる。
【００５７】
その結果、例えば、空港等における手荷物の機内持込サイズは、３辺の合計長さが、例えば、１００ｃｍ以内とか、１１５ｃｍ以内と決まっているので、本実施形態２の折り畳み式ポケット測量器具２０のメジャー２２を用いることにより、簡単に、飛行機への機内持込サイズを測定等することができる。そのため、図示はしないが、メジャー２２の１００ｃｍや、１１５ｃｍの個所に、空港等における手荷物の機内持込サイズの限界であることを示す目盛やマーク等を、さらに付すようにしても勿論よい。
【００５８】
なお、本実施形態２の折り畳み式ポケット測量器具２０は、メジャー２２の長さを１３０ｃｍに限定する必要は無く、これより長くても、短くても良く、さらには、その目盛２２ｃも５ｃｍ刻みでなく、前記実施形態１と同様に５ｃｍ刻みでも、あるいは１ｃｍ刻みでも、１ｍｍ刻みでも勿論よい。なお、このことは、前記実施形態１の折り畳み式ポケット測量器具１０も同様である。
【００５９】
また、前記実施形態１，２の折り畳み式ポケット測量器具１０，２０では、カバー１１の内側に、メジャー１２，２２の基部１２ａ，２２ａを貼り付けて説明したが、本考案では、これに限らず、カバー１１を省略して、メジャー１２，２２だけにより構成するようにしても勿論よい。また、カバー１１無しにして、折り畳みのメジャー１２，２２がシステム手帳等のバインダーに収納できるように、メジャー１２，２２の基部１２ａ，２２ａに、６つ孔や３つ孔等のバインダー閉じ用の孔が形成されていても勿論よい。
【００６０】
実施形態３．
次に、本考案にかかる実施形態３の折り畳み式ポケット測量器具３０について説明する。本実施形態３の折り畳み式ポケット測量器具３０では、カバー３１に各種スケールを追加したものである。
【００６１】
図１０は、本考案にかかる実施形態３の折り畳み式ポケット測量器具３０の一例を示す説明図である。なお、本実施形態３では、カバー３１内のメジャーは、実施形態１のメジャー１２や、実施形態２のメジャー２２と同じなので、カバー３１についてのみ説明する。
【００６２】
図１０に示すように、本実施形態３では、カバー３１の裏表紙３１ｂの外寄りの長手（縦）方向に、１ｍｍ刻みの１０ｃｍまでの通常スケール３１ｂ１を印刷等して表示すると共に、裏表紙３１ｂの中央寄りと、背３１ｃの部分の長手（縦）方向に、０．０５ｍｍ〜２．００ｍｍのひび割れ（クラック）を測定するクラックスケール３１ｂ２を印刷等して表示している。
【００６３】
従って、本実施形態３の折り畳み式ポケット測量器具３０によれば、カバー３１を広げてメジャー１２，２２を取り出さないでも、カバー３１の裏表紙３１ｂのこの通常スケール３１ｂ１により、簡単な計測を行うことができる。なお、通常スケール３１ｂ１は、カバー３１の裏表紙３１ｂの短手（横）方向に印刷等して表示するようにしても良いし、カバーの表紙３１ａの印刷等して表示するようにしても良い。
【００６４】
特に、本実施形態３の折り畳み式ポケット測量器具３０では、カバー３１内の実施形態１，２のメジャー１２，２２は、それぞれ、目盛１２ｃの間隔が１０ｃｍ間隔、および５ｃｍ間隔で、１２０ｃｃｍあるいは１３０ｃｍまで計測可能であるのに対し、カバー３１の裏表紙３１ｂのこの通常スケール３１ｂ１は、１ｍｍ刻みの１０ｃｍまでの通常スケール３１ｂ１であるので、１ｍ前後の長いものは、カバー３１を広げてメジャー１２，２２により計測を行う一方、１０ｃｍ以内の短いものは、カバー３１を広げずにカバー３１の裏表紙３１ｂのスケール３１ｂ１により計測を行うことが可能となり、非常に使い勝手の良い折り畳み式ポケット測量器具を提供することができる。
【００６５】
また、本実施形態３の折り畳み式ポケット測量器具３０によれば、カバー３１を広げてメジャーを取り出さないでも、カバー３１の裏表紙３１ｂの中央寄りと背３１ｃの部分とに表示されたクラックスケール３１ｂ２により、０．０５ｍｍ〜２．００ｍｍのひび割れ（クラック）を簡単に計測することができる。また、クラックスケール３１ｂ２は、カバー３１の裏表紙３１ｂの中央寄りのみではなく、背３１ｃの部分にも表示されているので、厚さのあるカバー３１でも、表紙３１ａをひび割れ（クラック）のあるコンクリート上に置くことにより、背３１ｃの部分のクラックスケール３１ｂ２により、ひび割れ（クラック）の幅を簡単に計測することができる。なお、クラックスケール３１ｂ２は、カバー３１の裏表紙３１ｂの中央寄りの短手（横）方向に印刷等して表示するようにしても良いし、カバーの表紙３１ａに印刷等して表示するようにしても良い。また、カバー３１の裏表紙３１ｂの中央寄り、あるいは背３１ｃの部分のいずれか一方にのみ印刷等して表示するようにしても良い。
【００６６】
なお、本実施形態３では、図１０に示すように、カバー３１の裏表紙３１ｂに、通常スケール３１ｂ１とクラックスケール３１ｂ２の双方を設けて説明したが、本考案ではこれに限定されず、通常スケール３１ｂ１のみを設けても良いし、さらにはクラックスケール３１ｂ２のみを設けるようにしても勿論よいし、さらに、カバー３１の裏表紙３１ｂには、図１０に示すように、通常スケール３１ｂ１と、クラックスケール３１ｂ２の双方を設ける一方、カバー３１の表紙１１ａには、図８に示すように、長手（縦）方向に１ｃｍ刻みの目盛１１ａ１等を設けるようにしても良い。
【００６７】
また、前記実施形態１〜３では、折り畳み式ポケット測量器具１０〜３０のカバー１１，３１に留め片等を設けずに説明したが、本考案ではこれに限らず、例えば、図１１（ａ），（ｂ）に示すように、前記実施形態１〜３の折り畳み式ポケット測量器具１０〜３０のカバー１１，３１の裏表紙１１ｂ，３１ｂに留め片１１ｄ，３１ｄを設けると共に、表紙１１ａ，３１ａの対応する個所に切り欠き部１１ｅ，３１ｅを形成して、カバー１１，３１を閉じた時に、留め片１１ｄ，３１ｄが切り欠き部１１ｅ，３１ｅに挿入して、カバー１１，３１が勝手に開かないようにしても勿論よい。このようにすれば、本実施形態１〜３の折り畳み式ポケット測量器具１０〜３０は、カバー１１，３１内のメジャー１２，２２が広がろうとするので、留め片１１ｄ，３１ｄと切り欠き部１１ｅ，３１ｅとにより、カバー１１，３１が勝手に開くことを防止できる。
【産業上の利用可能性】
【００６８】
本考案の折り畳み式ポケット測量器具は、長手方向に所定間隔のピッチで目盛が表示されており、携帯時には幾重にも折り畳まれて携帯される一方、使用時には折り畳み部分が広げられ、伸ばして使用されるメジャーを有するので、使用しない場合には、メジャーを折り畳んで携帯することができ、急に道路の破損個所や修繕箇所等の現場を写真撮影して、現場状況を写真撮影して報告等する道路の破損個所や修繕箇所等の舗装診断の用途において、寸法や長さの測定やその目安として使用する携帯用の測定器具として産業上の利用可能性が大きいと共に、さらには舗装診断以外の用途、例えば、通常の携帯用のメジャーや、飛行機内の機内持ち込みサイズの確認のメジャー等としても産業上の利用可能性が大きい。
【符号の説明】
【００６９】
１０，２０，３０  折り畳み式ポケット測量器具
１１，３１  カバー
１２，２２  メジャー
１２ａ，２２ａ  メジャーの基部
１２ｂ，２２ｂ  メジャーの先端部
１２ｃ，２２ｃ  目盛
３１ｂ１  標準スケール
３１ｂ２  クラックスケール
【図１】
0003159459.tif 000003
【図２】
0003159459.tif 000004
【図３】
0003159459.tif 000005
【図４】
0003159459.tif 000006
【図５】
0003159459.tif 000007
【図６】
0003159459.tif 000008
【図７】
0003159459.tif 000009
【図８】
0003159459.tif 000010
【図９】
0003159459.tif 000011
【図１０】
0003159459.tif 000012
【図１１】
0003159459.tif 000013
【図１２】
0003159459.tif 000014